(57)【要約】【課題】ヘリコプター型回転翼凧において、主ローターの回転によって生じるトルク作用や反トルク作用等の飛揚の安定性を阻害する問題点を解消して、飛揚の安定性能を向上させ、広範囲な風力に対応させる。【解決手段】糸目Ｂに揚糸を取り付け、主ローターＡの風力による回転によって揚力を発生させ、回転パラシュートＥを尾部に取り付けることにより、主ローターＡの回転によって生じるトルク作用や反トルク作用等の飛揚の安定性を阻害する問題点を解消させて、飛揚の安定性能を向上させ、広範囲な風力に適応できるヘリコプター型回転翼凧が可能となる。【選択図】図１
0003110680.tif 000002
【実用新案登録請求の範囲】
【請求項１】
風力による主ローターの回転で揚力を発生させ、尾部に取り付けた回転パラシュートによって、主ローターの回転によるトルク作用や反トルク作用等の飛揚の安定性を阻害する問題点を解消させて、広範囲な風力に適応した飛揚の安定性能を維持することを特徴とするヘリコプター型の回転翼凧。
【考案の詳細な説明】
【技術分野】
【０００１】
本考案は、風力による主ローターの回転で揚力を発生させ、安定した飛揚性能を維持するためのヘリコプター型の回転翼凧に関するものである。
【背景技術】
【０００２】
回転して揚がる凧は、従来から様々な工夫で作られている。その例としては、古くから知られているクッダ・ジュコフスキーの原理を応用した
【非特許文献１】「手づくり世界の凧（広井力著立風書房刊）１９頁回転翼凧」があり、
【非特許文献２】「凧-空の造形（広井力著美術出版社刊）９５頁ドラムカン」は、円筒形の胴体そのものが縦に回転する安定した立体凧である。また、
【非特許文献３】「日本の凧の会会報第２２号２７頁曲面翼から平面翼へーケン・サムス氏の回転翼凧研究―山下平八郎」もその系譜上にあるものと言える。これらの回転翼凧の特性は、回転することにより凧全体が立体的な安定した造形を形成し、回転体自体に安定のための垂直板や立体板が取り付けられている点である。
【０００３】
これに対して、胴体とは別に回転する主ローターを有し、そのローターの回転による胴体への決定的な悪影響を何らかの工夫で解消しなければならないヘリコプター型の回転翼凧としては、
【非特許文献４】「日本の凧の会会報第２４号９２頁ヘリコプター型回転翼凧の研究、関口武」、
【非特許文献５】「日本の凧の会会報第２７号８７頁ヘリコプター・カイト、本考案者脇ヒカル」等が揚げられるが、その解決策は一定の限られた風力範囲内での飛揚が可能であるに過ぎず、自然の風力によるヘリコプター型回転翼凧の安定した制御の難しさを改めて露呈する状況であった。
【考案の開示】
【考案が解決しようとする課題】
【０００４】
解決しようとする問題点は、風力によるローターの回転で揚力を発生させることは容易であるが、その回転によるトルク作用や反トルク作用等の飛揚の安定性を阻害する問題点を容易に解消することが出来ず、広範囲な風力に適応した飛揚の安定性能を維持することが困難な点である。
【課題を解決するための手段】
【０００５】
ヘリコプター型回転翼凧において、風力による主ローターの回転で揚力を発生させ、尾部に回転パラシュートを取り付けることによって、主ローターの回転によるトルク作用や反トルク作用等の飛揚の安定性を阻害する問題点を解消させて、広範囲な風力に適応した飛揚の安定性能を維持することを最も主要な特徴とする。
【考案の効果】
【０００６】
本考案における図１のヘリコプター型回転翼凧は、糸目位置Ｂに揚糸を取り付け、主ローターＡの風力による回転によって揚力を発生させ、回転パラシュートＥを尾部に取り付けることにより、主ローターＡの回転によって生じるトルク作用や反トルク作用等の飛揚の安定性を阻害する問題点を解消させて、飛揚の安定性能を向上させ、広範囲な風力に適応できる利点がある。
【０００７】
これを詳細に述べれば、ヘリコプター型回転翼凧の製作にとって最も苦慮する点は、主ローターＡの回転によって生じる胴体Ｃへのトルク作用や反トルク作用等の飛揚の安定性を阻害する問題点の解消にある。理論的には、実機のヘリコプターと同じく、テール・ローターの取り付け、垂直尾翼の工夫、または、双発型、あるいは、反転式等々様々な工夫が考えられる。しかし、理論上はともかく、実際的にはこれらの方法は、製作上の精度の要求、耐久性の問題、軽量化への逆行等、余りにも難点が多くあり過ぎる。
【０００８】
本案では、尾部に回転パラシュートＥを取り付けることにより、主ローターＡの回転によって生じる胴体Ｃへの不安定要因を解消した。回転パラシュートＥは、風力によって回転し、主ローターＡに対応する直径・長さ・回転数等の相互関係が要求される。その相互関係のバランスが、主ローターＡの回転によって生じるトルク作用や反トルク作用等の飛揚の安定性を阻害する問題点を解消させて、胴体Ｃを常に正常な位置に補正する働きを担う。実機のヘリコプターでは、メイン・ローターとテール・ローターの回転方向は重要であるが、本考案のヘリコプター型回転翼凧の主ローターＡと尾部の回転パラシュートＥの回転方向は直接影響しないことは実証済みである。なぜなら、回転パラシュートＥは、実機テール・ローターのように胴体Ｃに固定された関係ではなく、糸Ｄによって吊り下げられた関係にあるから、回転の方向は胴体Ｃに伝導しないからである。回転パラシュートＥの重要な作用は、回転による風力の下方への方向性の効率的な確保にある。回転しないパラシュートＥよりも下方方向への風を溜める効果はより顕著に発揮される。また、この回転パラシュートＥに取り付けられた糸Ｄは、振り子の働きをし、胴体Ｃを常に自立させて垂直尾翼のような役割を果たし、飛揚の安定性能を格段に向上させる。その糸Ｄの長さは、安定性能と飛揚効率に直接関係する。長すぎると揚力を阻害し、短すぎると安定を欠く。その長さは、胴体Ｃの長さ、主ローターＡと回転パラシュートＥの相互関係等によって、総合的に決定されるべきである。回転パラシュートＥは、胴体Ｃを自動的に自立させる重要な働きを持つが、付随的に主ローターの回転に符合した回転の美観を増大させ、フレキシブルなシートであるから、破損しにｊくく危険性がないので、回転翼凧に最適である。
【実施例１】
【０００９】
図１は本考案の１実施例ヘリコプター型回転翼凧である。主ローターは風力によって回転する。周の骨をなくして実機ヘリコプターのようなローターにして、反りとピッチは風力によって自然に形成させる工夫もあるが、図１の主ローターＡは、翼面加重を最大限に効率化した例で、周より半径を長くすることにより、Ａのシートに反りを作り出し、これによりローター全体に上半角を固定的に形成して、回転の揚力と安定性を同時に確保した典型的な例である。
【００１０】
Ｂは、凧の糸目であり、その位置によって揚力に差が生じる。Ｃは胴体である。最も単純な一本の丸棒で表現した。
【００１１】
Ｅはフレキシブルなシートで、風力によって回転するように作られている。この回転パラシュートＥは、糸Ｄによって胴体Ｃに吊り下げられている。風力によって、主ローターＡの回転の度合いが強まると、胴体Ｃは左右いずれかに傾き易くなるが、回転パラシュートＥもこれに応じて回転の度合いが強まるので、糸Ｄが振り子の役割をして傾こうとする胴体Ｃを常に縦方向に正常な位置に補正して糸目Ｂを定位置に戻す働きを担う。ヘリコプター型回転翼凧に特有な胴体への不安定要因は、回転パラシュートＥの取り付けという単純な工夫で、一挙に解消される。垂直尾翼も無用で、壊れにくく、軽量化の面からも効率的で、危険性もない。図２は、すでに本考案者が２０年近く製作し続けている実施例の映像であり、凧関係者には周知のヘリコプター型回転翼凧である。
【産業上の利用可能性】
【００１２】
本考案におけるヘリコプター型回転翼凧は、自然の風力を利用して回転しながら空に安定して飛揚する科学教材ともなり、安全でユニークな凧として広く娯楽の対象になるものである。
【図面の簡単な説明】
【００１３】
【図１】本考案のヘリコプター型回転翼凧。（実施例１）
【図２】本考案のヘリコプター型回転翼凧の実施映像。（実施例１）
【符号の説明】
【００１４】
Ａ    主ローター
Ｂ    糸目
Ｃ    胴体
Ｄ    吊り糸
Ｅ    回転パラシュート
【図１】
0003110680.tif 000003
【図２】
0003110680.tif 000004